(57)【特許請求の範囲】
【請求項１】
空調機から供給される調和空気を移送するメインダクトと、前記メインダクトに設けられた複数の分岐部に上流側の開口部が接続された分岐ダクト及び前記分岐ダクトの下流側の開口部に接続された分岐チャンバにて形成された分岐ダクトユニットと、を備え、前記メインダクトの分岐部から前記分岐ダクトユニットへ供給される調和空気の風量を設定する風量調整手段を前記メインダクトに設けられた複数の前記分岐部のそれぞれに設け、
前記風量調整手段及び前記メインダクトの分岐部に対して着脱自在な接続手段の機能を一体的に兼備し、予め前記メインダクトの分岐部に取り付けられた連設部材を介して、前記分岐ダクトの上流側の開口部を前記メインダクトの分岐部に接続し、
前記接続手段が、前記メインダクトの分岐部の開口部分に取り付けられ、前記分岐ダクトの開口部に取り付けられた円筒体の外径より小さな内径の貫通孔を有する弾性パッキンであり
前記風量調整手段が、開度を全開から全閉の範囲内で段階的に変更可能なシャッタである空調システム。
【請求項２】
前記メインダクトが段ボール製である請求項１記載の空調システム。
【発明の詳細な説明】
【技術分野】
【０００１】
本発明は、オフィスビルや工場建屋などの各種建築物の空調設備の一部として、建築物の天井裏などに配置される空調システムに関する。
【背景技術】
【０００２】
従来の空調システムにおいては、空調機器から供給される調和空気を移送するメインダクトから各吹出口までの圧力損失が等圧となるようにダクトのサイズを設計し、メインダクトからサブダクトに分岐する施工が行われている。また、メインダクトやサブダクトなどは鋼板製のダクトが使用されている。
【０００３】
一方、本発明に関連する従来技術として、例えば、特許文献１記載の「空調ダクト装置」がある。特許文献１記載の「空調用ダクト装置」においては、同一断面積の分岐部に風量調整手段が設けられ、吹出口とメインダクトとは分岐ダクトによって接続されている。ダクト接続後にレイアウト変更が生じた場合にも風量調整手段により容易に再調整を行うことができる。
【先行技術文献】
【特許文献】
【０００４】
【特許文献１】実開平５−３６２３３号公報
【発明の概要】
【発明が解決しようとする課題】
【０００５】
空調システムの施工においては風量調整作業の省力化が要請され続けているが、特許文献１記載の「空調用ダクト装置」は、ダクト接続後に風量調整を行う方式であるため、施工現場にて風量調整作業が必要であり、省力化の要請に応えることが困難である。
【０００６】
そこで、本発明が解決しようとする課題は、メインダクトを含めた空調ダクト全般の施工性が向上し、複数の分岐チャンバへ分配する風量を容易且つ的確に設定することができ、施工後の風量調整作業を大幅に軽減することができる空調システムを提供することにある。
【課題を解決するための手段】
【０００７】
本発明の空調システムは、空調機から供給される調和空気を移送するメインダクトと、前記メインダクトに設けられた複数の分岐部に上流側の開口部が接続された分岐ダクト及び前記分岐ダクトの下流側の開口部に接続された分岐チャンバにて形成された分岐ダクトユニットと、を備え、前記メインダクトの分岐部から前記分岐ダクトユニットへ供給される調和空気の風量を設定する風量調整手段を前記メインダクトに設けられた複数の前記分岐部のそれぞれに設け、
前記風量調整手段及び前記メインダクトの分岐部に対して着脱自在な接続手段の機能を一体的に兼備し、予め前記メインダクトの分岐部に取り付けられた連設部材を介して、前記分岐ダクトの上流側の開口部を前記メインダクトの分岐部に接続し、
前記風量調整手段の開度を全開から全閉の範囲内で段階的に変更可能としたことを特徴とする。
【０００８】
このような構成とすれば、メインダクトを含めた空調ダクト全般の施工性が向上し、風量調整手段により分岐ダクトユニットへ供給される風量を的確に設定することができ、施工後の調整作業を大幅に軽減することができる。また、風量調整手段による風量設定作業をさらに容易かつ的確に行うことが可能となり、施工完了後の試運転調整（各吹出口からの風量バランス調整）の作業が軽減される。
【０００９】
ここで、前記分岐ダクトの上流側の開口部が前記メインダクトの分岐部に対して着脱自在な接続手段を介して接続されている。ここで、着脱自在な接続手段とは、工具を使用することなく若しくは汎用工具を使用して、簡単に接続・離脱することができる技術的手段をいう。
【００１０】
このような構成とすれば、施工性がさらに向上し、万が一、施工後に風量の再調整が必要になった場合も作業が容易である。
【００１１】
また、前記メインダクトが段ボール製であることが望ましい。
【００１２】
このような構成とすれば、段ボール製のメインダクトは、鉄板製のメインダクトに比べ軽量であるが故に、施工現場への搬入、施工現場での組み立て、設置作業が容易となる。また、段ボール製のメインダクトは、鋼板製のメインダクトに比べ、加工性が良く、リサイクル性も良好である。
【００１３】
さらに、前記風量調整手段及び前記着脱自在な接続手段の機能を一体的に兼備した連設部材を介して、前記メインダクトの分岐部に、前記分岐ダクトの上流側の開口部を接続している。
【００１４】
このような構成とすれば、当該空調システムを構築する資材の点数が減って施工性が向上するだけでなく、万が一、施工後に風量の再調整が必要になった場合も作業が容易である。
【００１５】
この場合、前記連設部材が予め前記メインダクトの分岐部に取り付けられている。
【００１６】
このような構成とすれば、施工性が向上し、万が一、施工後に風量の再調整が必要になった場合も作業が容易である。
【００１７】
次に、本発明の空調システムを構築する方法は、
複数の分岐部を有するメインダクトを設置する工程と、
空調空間に調和空気を吹き出すための複数の吹出口を設置する工程と、
前記メインダクトに設けられた複数の分岐部に上流側の開口部が接続可能な分岐ダクト及び前記分岐ダクトの下流側の開口部に接続された分岐チャンバにて形成された分岐ダクトユニットを設置する工程と、
前記分岐ダクトユニット及び前記分岐ダクトユニットより下流側に接続される前記吹出口について予め実験することよって得られた圧力損失データあるいは施工現場にて計測して得られた圧力損失データに基づいて、前記メインダクトに設けられた複数の前記分岐部のそれぞれに設けられた風量調整手段の開度を設定した後、前記分岐ダクトの上流側の開口部を前記分岐部に接続する工程と、を備えたことを特徴とする。
【発明の効果】
【００１８】
本発明により、メインダクトを含めた空調ダクト全般の施工性が向上し、複数の分岐チャンバへ分配する風量を容易且つ的確に設定することができ、施工後の風量調整作業を大幅に軽減することができる空調システムを提供することができる。
【図面の簡単な説明】
【００１９】
【図１】本発明の実施形態である空調システムの構成を示す図である。
【図２】図１の一部拡大図である。
【図３】図２中の矢線Ｘで示す部分の一部を分解した状態の拡大断面図である。
【図４】図１に示す空調システムを構成する分岐ダクトユニットを示す一部省略斜視図である。
【発明を実施するための形態】
【００２０】
以下、図１〜図４に基づいて、本発明の実施形態である空調システム１００及びその構築方法について説明する。図１〜図３に示すように、空調システム１００は、空調機１０から供給される調和空気を移送する段ボール製のメインダクト２０と、メインダクト２０に設けられた複数の分岐部２１に上流側の開口部３１が接続された分岐ダクト（フレキシブルダクト３０）及びフレキシブルダクト３０の下流側の開口部３２に接続された分岐チャンバ４０にて形成された分岐ダクトユニット４５と、を備えている。メインダクト２０の分岐部２１から分岐チャンバ４０へ供給される調和空気の風量を設定するための風量調整手段５０が複数の分岐部２１のそれぞれに設けられている。
【００２１】
本実施形態においてメインダクト２０は表裏両面にアルミニウムシートが貼着された不燃性の段ボール材を用いて形成されているが、メインダクト２０は前述した段ボール製ダクトに限定するものではないので、例えば、鋼板製のダクトなど、従来のダクトを使用することも可能である。
【００２２】
図３に示すように、風量調整手段５０は、その開度を変更可能なシャッタ５１を備えている。風量調整手段５０は、分岐ダクトユニット４５を構成するフレキシブルダクト３０及び分岐チャンバ４０、並びに、分岐チャンバ４０より下流側に接続される空調用機材（後述するフレキシブルダクト６０及び吹出口７０）の圧力損失データに基づいて、分岐部２１から分岐チャンバ４０へ供給される風量に応じてシャッタ５１を開閉することにより、全開から全閉の範囲内で、その開度を複数段階に変更可能である。
【００２３】
なお、前記圧力損失データについては、フレキシブルダクト３０、分岐チャンバ４０及び分岐チャンバ４０より下流側に接続される空調用機材などについて予め実験することによって得られたデータ、あるいは施工現場にて計測して得られたデータなどを利用することができる。
【００２４】
図３に示すように、フレキシブルダクト３０の上流側の開口部３１はメインダクト２０の分岐部２１に対して着脱自在な接続手段８０を介して接続されている。本実施形態においては、風量調整手段５０及び接続手段８０の機能を一体的に兼備した連設部材９０を介して、メインダクト２０の分岐部２１に、フレキシブルダクト３０の上流側の開口部３１が接続されている。また、連設部材９０は、メインダクト２０の分岐部２１に予め取り付けられている。なお、連設部材９０をメインダクト２０の分岐部２１に取り付ける手段は限定しないので、粘着手段あるいは接着手段などの任意の手段を用いることができる。
【００２５】
具体的には、フレキシブルダクト３０の開口部３１に円筒体３３が取り付けられ、分岐部２１の開口部分に円筒体３３の外径より小さな内径の貫通孔８１ａを有する弾性パッキン８１が取り付けられている。フレキシブルダクト３０の円筒体３３の部分を弾性パッキン８１の貫通孔８１ａに挿入するだけで、フレキシブルダクト３０の開口部３１を分岐部２１に気密状に接続することができる。また、フレキシブルダクト３０の円筒体３３の部分を逆に引っ張れば、分岐部２１からフレキシブルダクト３０の開口部３１を取り外すことができる。
【００２６】
一方、図４に示すように、空調空間(図示せず)に向かって調和空気を吹き出すために配置された複数の吹出口７０と分岐チャンバ４０とがそれぞれフレキシブルダクト６０によって接続されている。
【００２７】
ここで、図１に示す空調システム１００の構築方法について説明する。施工対象である建築物（図示せず）において、複数の分岐部２１を有するメインダクト２０を設置し、建築物内の空調空間に調和空気を吹き出すための複数の吹出口７０をそれぞれ設置する。次に、メインダクト２０に設けられた複数の分岐部２１に上流側の開口部３１が接続可能なフレキシブルダクト３０及びフレキシブルダクト３０の下流側の開口部３２に接続された分岐チャンバ４０にて形成された分岐ダクトユニット４５を設置し、分岐チャンバ４０と複数の吹出口７０とをそれぞれフレキシブルダクト６０で接続する。
【００２８】
次に、分岐ダクトユニット４５及び分岐ダクトユニット４５より下流側に接続される複数のフレキシブルダクト６０及び吹出口７０の圧力損失データに基づいて、分岐部２１に設けられた風量調整手段５０の開度を設定した後、フレキシブルダクト３０の上流側の開口部３１を分岐部２１に接続すると、空調システム１００が完成する。
【００２９】
なお、前述した工程は一例であり、施工現場の状況に合わせて適宜変更することができる。例えば、「分岐チャンバ４０より下流側の空調機材（フレキシブルダクト６０及び吹出口７０）を設置する工程」と、「分岐部２１に設けられた風量調整手段５０の開度を設定した後、フレキシブルダクト３０の上流側の開口部３１を分岐部２１に接続する工程」と、の施工順序を入れ替えて施工することもできる。ただし、分岐部２１に設けられた風量調整手段５０の開度を設定し、その後、フレキシブルダクト３０の開口部３１を分岐部２１に接続するという順序は変更不可である。
【００３０】
空調システム１００のような構成とすれば、メインダクト２０を含めた空調ダクト全般の施工性が向上し、風量調整手段５０により各分岐チャンバ４０へ供給される風量を的確に設定することができ、施工後の調整作業を大幅に軽減することができる。また、風量調整手段５０による風量設定作業を容易かつ的確に行うことが可能となり、施工完了後の試運転調整（各吹出口７０からの風量バランス調整）の作業が軽減される。
【００３１】
また、フレキシブルダクト３０の上流側の開口部３１がメインダクト２０の分岐部２１に対して着脱自在な接続手段８０を介して接続されるので、施工性の向上に有効であるだけでなく、万が一、施工後の風量再調整が必要になった場合も作業が容易である。
【００３２】
また、メインダクト２０が段ボール製であることにより、鋼板製のメインダクトに比べ加工性が良くなり、軽量化することができるだけでなく、リサイクル性も良好となる。そのほか、段ボール製であるがゆえに、施工現場でのメインダクト２０の組立・加工作業も容易に行うことができる。
【００３３】
さらに、図３に示すように、風量調整手段５０及び接続手段８０の機能を一体的に兼備した連設部材９０を介して、メインダクト２０の分岐部２１に、フレキシブルダクト３０の上流側の開口部３１が接続可能であるため、空調システム１００を構築する資材点数の削減を図ることができる。また、連設部材９０が予めメインダクト２０の分岐部２１に取り付けられているため、施工性が向上するだけでなく、万が一、施工後の風量再調整が必要になった場合も作業が容易である。
【００３４】
なお、図１〜図４に基づいて説明した空調システム１００及び空調システム１００の構築方法は、本発明を例示するものであり、本発明に係る空調システム及び空調システム構築方法は、前述した空調システム１００及び空調システム１００の構築方法に限定されない。
【産業上の利用可能性】
【００３５】
本発明の空調システムは、オフィスビルや工場建屋などの各種建築物の空調設備の一部として建設産業の分野において広く利用することができる。
【符号の説明】
【００３６】
１０  空調機
２０  メインダクト
２１  分岐部
３０，６０  フレキシブルダクト
３１，３２  開口部
３３  円筒体
４０  分岐チャンバ
４５  分岐ダクトユニット
５０  風量調整手段
５１  シャッタ
７０  吹出口
８０  接続手段
８１  弾性パッキン
８１ａ  貫通孔
９０  連設部材
１００  空調システム
【図１】
0006758798.tif 000002
【図２】
0006758798.tif 000003
【図３】
0006758798.tif 000004
【図４】
0006758798.tif 000005